(57)【要約】      （修正有）【課題】通信ネットワークに負荷をかけることなくデータ通信をおこなう。【解決手段】コンテンツ管理装置１１０に格納されているコンテンツおよび該コンテンツの付属情報を端末装置１００へ提供するコンテンツ提供システム１０は、コンテンツ管理装置１１０に格納されている複数のコンテンツのうち一のコンテンツが端末装置１００に格納されているか否かを判断する判断部２１２と、一のコンテンツが端末装置１００に格納されていないと判断部２１２が判断した場合には、一のコンテンツおよび一のコンテンツの付属情報を端末装置１００へ転送し、一のコンテンツが端末装置１００に格納されていると判断部２１２が判断した場合には、一のコンテンツおよび一のコンテンツの付属情報のうち付属情報を端末装置１００へ転送する転送部２５２とを備える。【選択図】図２
2011100440.tif 000002
【特許請求の範囲】
【請求項１】
コンテンツ管理装置に格納されているコンテンツおよび該コンテンツの付属情報を端末
装置へ提供するコンテンツ提供システムであって、
前記コンテンツ管理装置に格納されている複数のコンテンツのうち一のコンテンツが前
記端末装置に格納されているか否かを判断する判断部と、
前記一のコンテンツが前記端末装置に格納されていないと前記判断部が判断した場合に
は、前記一のコンテンツおよび前記一のコンテンツの付属情報を前記端末装置へ転送し、
前記一のコンテンツが前記端末装置に格納されていると前記判断部が判断した場合には、
前記一のコンテンツおよび前記一のコンテンツの前記付属情報のうち前記付属情報を前記
端末装置へ転送する転送部と
を備えることを特徴とするコンテンツ提供システム。
【請求項２】
前記端末装置に格納された前記付属情報を更新することによって、更新された付属情報
を作成する第１付属情報更新部と、
前記更新された付属情報を、前記コンテンツ管理装置へ送信する付属情報送信部と
前記更新された付属情報で、前記コンテンツ管理装置に格納されている前記付属情報を
更新する第２付属情報更新部と、
をさらに備えることを特徴とする請求項１に記載のコンテンツ提供システム。
【請求項３】
コンテンツ管理装置に格納されている複数のコンテンツのうち一のコンテンツと、該一
のコンテンツの付属情報と、を格納する端末装置であって、
前記一のコンテンツが前記端末装置に格納されているか否かを判断する判断部と、
前記一のコンテンツが前記端末装置に格納されていないと前記判断部が判断した場合に
は、前記一のコンテンツおよび前記一のコンテンツの前記付属情報を前記端末装置へ転送
するように前記コンテンツ管理装置を制御し、前記一のコンテンツが前記端末装置に格納
されていると前記判断部が判断した場合には、前記一のコンテンツおよび前記一のコンテ
ンツの前記付属情報のうち前記付属情報を前記端末装置へ転送するように前記コンテンツ
管理装置を制御する転送制御部と
を備えることを特徴とする端末装置。
【請求項４】
前記コンテンツ管理装置から転送された前記付属情報を更新することによって、更新さ
れた付属情報を作成する第１付属情報更新部と、
前記更新された付属情報を、前記コンテンツ管理装置へ送信する付属情報送信部と
をさらに備えることを特徴とする請求項３に記載の端末装置。
【請求項５】
複数のコンテンツのうち一のコンテンツと、該一のコンテンツの付属情報と、を端末装
置に提供するコンテンツ管理装置であって、
前記一のコンテンツが前記端末装置に格納されているか否かを判断する判断部と、
前記一のコンテンツが前記端末装置に格納されていないと前記判断部が判断した場合に
は、前記一のコンテンツおよび前記一のコンテンツの付属情報を前記端末装置へ転送し、
前記一のコンテンツが前記端末装置に格納されていると前記判断部が判断した場合には、
前記一のコンテンツおよび前記一のコンテンツの前記付属情報のうち前記付属情報を前記
端末装置へ転送する転送部と
を備えることを特徴とするコンテンツ管理装置。
【請求項６】
前記端末装置から転送された付属情報で、前記コンテンツ管理装置に格納されている前
記付属情報を更新する付属情報更新部
をさらに備えることを特徴とする請求項５に記載のコンテンツ管理装置。
【請求項７】
コンテンツおよび該コンテンツの付属情報を提供するコンテンツ提供方法であって、
第１の情報処理装置に格納されている複数のコンテンツのうち一のコンテンツが第２の
情報処理装置に格納されているか否かを判断する判断工程と、
前記一のコンテンツが前記第２の情報処理装置に格納されていないと前記判断工程で判
断された場合には、前記一のコンテンツおよび前記一のコンテンツの前記付属情報を前記
第２の情報処理装置へ転送し、前記一のコンテンツが前記第２の情報処理装置に格納され
ていると前記判断工程で判断された場合には、前記一のコンテンツおよび前記一のコンテ
ンツの前記付属情報のうち前記付属情報を前記第２の情報処理装置へ転送する転送工程と
を備えることを特徴とするコンテンツ提供方法。
【請求項８】
コンピューターを、
コンテンツ管理装置に格納されている複数のコンテンツのうち一のコンテンツが端末装
置に格納されているか否かを判断する判断部と、
前記一のコンテンツが前記端末装置に格納されていないと前記判断部が判断した場合に
は、前記一のコンテンツおよび前記一のコンテンツの付属情報を前記端末装置へ転送する
ように前記コンテンツ管理装置を制御し、前記一のコンテンツが前記端末装置に格納され
ていると前記判断部が判断した場合には、前記一のコンテンツおよび前記一のコンテンツ
の前記付属情報のうち前記付属情報を前記端末装置へ転送するように前記コンテンツ管理
装置を制御する転送制御部
として機能させることを特徴とするプログラム。
【請求項９】
請求項８に記載のプログラムを記録したコンピューター読み取り可能な記録媒体。
【発明の詳細な説明】
【技術分野】
【０００１】
本発明は、コンテンツ提供システム、端末装置、コンテンツ管理装置、コンテンツ提供
方法、プログラムおよびコンピューター読み取り可能な記録媒体に関する。
【背景技術】
【０００２】
トランスポンダーに記録されている記録内容に遠隔アクセスし、記録内容を変更するこ
となく、記録内容の注釈データを作成し、作成した注釈データをトランスポンダーに格納
する技術が公開されている（たとえば、特許文献１参照。）。
【先行技術文献】
【特許文献】
【０００３】
【特許文献１】特開２００４−１１８８３６号公報
【発明の概要】
【発明が解決しようとする課題】
【０００４】
しかしながら、上記技術では、通信ネットワークに負荷をかけることなくデータ通信を
おこなうことができない。
【０００５】
本発明にかかる幾つかの態様は、上記課題を解決することで、通信ネットワークに負荷
をかけることなくデータ通信をおこなうことができる、コンテンツ提供システム、端末装
置、コンテンツ提供方法、プログラムおよびコンピューター読み取り可能な記録媒体を提
供するものである。
【課題を解決するための手段】
【０００６】
上記課題を解決するため、本発明の第１の態様のコンテンツ提供システムは、コンテン
ツ管理装置に格納されているコンテンツおよび該コンテンツの付属情報を端末装置へ提供
するコンテンツ提供システムであって、前記コンテンツ管理装置に格納されている複数の
コンテンツのうち一のコンテンツが前記端末装置に格納されているか否かを判断する判断
部と、前記一のコンテンツが前記端末装置に格納されていないと前記判断部が判断した場
合には、前記一のコンテンツおよび前記一のコンテンツの付属情報を前記端末装置へ転送
し、前記一のコンテンツが前記端末装置に格納されていると前記判断部が判断した場合に
は、前記一のコンテンツおよび前記一のコンテンツの前記付属情報のうち前記付属情報を
前記端末装置へ転送する転送部とを備えることを特徴とする。上記本発明に係るコンテン
ツ提供システムによれば、一のコンテンツが端末装置に格納されていないと判断部が判断
した場合には、一のコンテンツおよび一のコンテンツの付属情報が端末装置へ転送される
が、一のコンテンツが端末装置に格納されていると判断部が判断した場合には、一のコン
テンツの付属情報は端末装置へ転送されるが、一のコンテンツは端末装置へ転送されない
ため、通信ネットワークにかかる負荷を軽減することができる。
【０００７】
上記コンテンツ提供システムにおいて、前記端末装置に格納された前記付属情報を更新
することによって、更新された付属情報を作成する第１付属情報更新部と、前記更新され
た付属情報を、前記コンテンツ管理装置へ送信する付属情報送信部と前記更新された付属
情報で、前記コンテンツ管理装置に格納されている前記付属情報を更新する第２付属情報
更新部と、をさらに備えてもよい。かかる構成によれば、通信ネットワークにかかる負荷
を軽減しつつ、コンテンツ管理装置に格納されている付属情報を、第１付属情報更新部に
よって更新された付属情報に更新することができる。
【０００８】
また、本発明の第２の態様の端末装置は、コンテンツ管理装置に格納されている複数の
コンテンツのうち一のコンテンツと、該一のコンテンツの付属情報と、を格納する端末装
置であって、前記一のコンテンツが前記端末装置に格納されているか否かを判断する判断
部と、前記一のコンテンツが前記端末装置に格納されていないと前記判断部が判断した場
合には、前記一のコンテンツおよび前記一のコンテンツの前記付属情報を前記端末装置へ
転送するように前記コンテンツ管理装置を制御し、前記一のコンテンツが前記端末装置に
格納されていると前記判断部が判断した場合には、前記一のコンテンツおよび前記一のコ
ンテンツの前記付属情報のうち前記付属情報を前記端末装置へ転送するように前記コンテ
ンツ管理装置を制御する転送制御部とを備えることを特徴とする。上記本発明に係る端末
装置によれば、一のコンテンツが当該端末装置に格納されていないと判断部が判断した場
合には、一のコンテンツおよび一のコンテンツの付属情報が当該端末装置へ転送されるが
、一のコンテンツが当該端末装置に格納されていると判断部が判断した場合には、一のコ
ンテンツの付属情報は当該端末装置へ転送されるが、一のコンテンツは当該端末装置へ転
送されないため、通信ネットワークにかかる負荷を軽減することができる。
【０００９】
上記端末装置において、前記コンテンツ管理装置から転送された前記付属情報を更新す
ることによって、更新された付属情報を作成する第１付属情報更新部と、前記更新された
付属情報を、前記コンテンツ管理装置へ送信する付属情報送信部とをさらに備えてもよい
。かかる構成によれば、通信ネットワークにかかる負荷を軽減しつつ、コンテンツ管理装
置に格納されている付属情報を、第１付属情報更新部によって更新された付属情報に更新
することができる。
【００１０】
また、本発明の第３の態様のコンテンツ管理装置は、複数のコンテンツのうち一のコン
テンツと、該一のコンテンツの付属情報と、を端末装置に提供するコンテンツ管理装置で
あって、前記一のコンテンツが前記端末装置に格納されているか否かを判断する判断部と
、前記一のコンテンツが前記端末装置に格納されていないと前記判断部が判断した場合に
は、前記一のコンテンツおよび前記一のコンテンツの付属情報を前記端末装置へ転送し、
前記一のコンテンツが前記端末装置に格納されていると前記判断部が判断した場合には、
前記一のコンテンツおよび前記一のコンテンツの前記付属情報のうち前記付属情報を前記
端末装置へ転送する転送部とを備えることを特徴とする。上記本発明に係るコンテンツ管
理装置によれば、一のコンテンツが端末装置に格納されていないと判断した場合には、一
のコンテンツおよび一のコンテンツの付属情報を端末装置へ転送するが、一のコンテンツ
が端末装置に格納されていると判断した場合には、一のコンテンツの付属情報は端末装置
へ転送するが、一のコンテンツは端末装置へ転送しないため、通信ネットワークにかかる
負荷を軽減することができる。
【００１１】
上記コンテンツ管理装置において、前記端末装置から転送された付属情報で、前記コン
テンツ管理装置に格納されている前記付属情報を更新する付属情報更新部をさらに備えて
もよい。かかる構成によれば、通信ネットワークにかかる負荷を軽減しつつ、当該コンテ
ンツ管理装置に格納されている付属情報を、端末装置から転送された付属情報に更新する
ことができる。
【００１２】
また、本発明の第４の態様のコンテンツ提供方法は、コンテンツおよび該コンテンツの
付属情報を提供するコンテンツ提供方法であって、第１の情報処理装置に格納されている
複数のコンテンツのうち一のコンテンツが第２の情報処理装置に格納されているか否かを
判断する判断工程と、前記一のコンテンツが前記第２の情報処理装置に格納されていない
と前記判断工程で判断された場合には、前記一のコンテンツおよび前記一のコンテンツの
前記付属情報を前記第２の情報処理装置へ転送し、前記一のコンテンツが前記第２の情報
処理装置に格納されていると前記判断工程で判断された場合には、前記一のコンテンツお
よび前記一のコンテンツの前記付属情報のうち前記付属情報を前記第２の情報処理装置へ
転送する転送工程とを備えることを特徴とする。上記本発明に係るコンテンツ提供方法に
よれば、一のコンテンツが第２の情報処理装置に格納されていないと判断された場合には
、一のコンテンツおよび一のコンテンツの付属情報が第２の情報処理装置へ転送されるが
、一のコンテンツが第２の情報処理装置に格納されていると判断された場合には、一のコ
ンテンツの付属情報は第２の情報処理装置へ転送されるが、一のコンテンツは第２の情報
処理装置へ転送されないため、通信ネットワークにかかる負荷を軽減することができる。
【００１３】
また、本発明の第５の態様のプログラムは、コンピューターを、コンテンツ管理装置に
格納されている複数のコンテンツのうち一のコンテンツが端末装置に格納されているか否
かを判断する判断部と、前記一のコンテンツが前記端末装置に格納されていないと前記判
断部が判断した場合には、前記一のコンテンツおよび前記一のコンテンツの付属情報を前
記端末装置へ転送するように前記コンテンツ管理装置を制御し、前記一のコンテンツが前
記端末装置に格納されていると前記判断部が判断した場合には、前記一のコンテンツおよ
び前記一のコンテンツの前記付属情報のうち前記付属情報を前記端末装置へ転送するよう
に前記コンテンツ管理装置を制御する転送制御部として機能させることを特徴とする。上
記本発明に係るプログラムによれば、当該プログラムをコンピューターが実行することに
より、一のコンテンツが端末装置に格納されていないと判断部が判断した場合には、一の
コンテンツおよび一のコンテンツの付属情報が端末装置へ転送されるが、一のコンテンツ
が端末装置に格納されていると判断部が判断した場合には、一のコンテンツの付属情報は
端末装置へ転送されるが、一のコンテンツは端末装置へ転送されないため、通信ネットワ
ークにかかる負荷を軽減することができる。
【００１４】
また、本発明の第６の態様のコンピューター読み取り可能な記録媒体は、上記プログラ
ムを記録したことを特徴とする。上記本発明に係るコンピューター読み取り可能な記録媒
体によれば、当該記録媒体に記録されているプログラムをコンピューターに実行させるこ
とにより、一のコンテンツが端末装置に格納されていないと判断部が判断した場合には、
一のコンテンツおよび一のコンテンツの付属情報が端末装置へ転送されるが、一のコンテ
ンツが端末装置に格納されていると判断部が判断した場合には、一のコンテンツの付属情
報は端末装置へ転送されるが、一のコンテンツは端末装置へ転送されないため、通信ネッ
トワークにかかる負荷を軽減することができる。
【図面の簡単な説明】
【００１５】
【図１】実施形態に係るコンテンツ提供システム１０の一例を示す。
【図２】コンテンツ提供システム１０の機能構成の一例を示す。
【図３】コンテンツ提供システム１０の処理手順の一例を示す。
【図４】コンテンツ提供システム１０の処理手順の他の一例を示す。
【図５】コンテンツ提供システム１０に格納されている情報の一例を示す。
【図６】端末装置１００のハードウェア構成の一例を示す。
【図７】実施例２におけるコンテンツ提供システム２０の機能構成の一例を示す。
【図８】コンテンツ提供システム２０の処理手順の一例を示す。
【発明を実施するための形態】
【００１６】
＜実施例１＞
図１は、実施形態に係るコンテンツ提供システム１０の一例を示す。コンテンツ提供シ
ステム１０は、コンテンツおよびコンテンツの付属情報を端末装置１００へ提供する。コ
ンテンツ提供システム１０は、端末装置１００（第２の情報処理装置）およびコンテンツ
管理装置１１０（第１の情報処理装置）を備える。端末装置１００およびコンテンツ管理
装置１１０は、それぞれ、インターネット、ＬＡＮ、Ｗｉ−Ｆｉ、固定電話網、携帯電話
網などの通信ネットワーク１２０に接続されており、コンテンツおよび付属情報が端末装
置１００とコンテンツ管理装置１１０との間で転送される。端末装置１００およびコンテ
ンツ管理装置１１０は、通信ネットワーク１２０を介さずに、有線通信または無線通信を
介して接続されていてもよい。
【００１７】
ここで、コンテンツとは、文書データ、写真データ、音楽データ、映像データ、または
これらを組み合わせたものを示す。たとえば、コンテンツの一例として、ＰＤＦ（Portab
le Document Format）データが挙げられる。また、付属情報とは、コンテンツに対応付け
られている情報であって、コンテンツに関連する情報を示す。たとえば、コンテンツがＰ
ＤＦデータの場合、付属情報の一例として、ＰＤＦデータに対してユーザーが書き込んだ
注釈データなどが挙げられる。付属情報は、コンテンツとは異なるファイルに記録されて
いる。コンテンツ提供システム１０は、コンテンツとは別に、付属情報を端末装置１００
とコンテンツ管理装置１１０との間で転送することができる。付属情報は、コンテンツと
は同じファイルに記録されていてもよい。また、付属情報は、複数のファイルによって構
成されていてもよい。
【００１８】
コンテンツ管理装置１１０は、複数のコンテンツおよび複数の付属情報をデータベース
に格納する。また、コンテンツ管理装置１１０は、データベースに格納されている複数の
コンテンツおよび複数の付属情報を一元的に管理する。たとえば、コンテンツ管理装置１
１０は、端末装置１００からの要求に応じて、コンテンツおよび付属情報をデータベース
から抽出し、抽出したコンテンツおよび付属情報を端末装置１００へ送信する。コンテン
ツ管理装置１１０は、端末装置１００から送信されたコンテンツまたは付属情報を取得し
、取得したコンテンツまたは付属情報をデータベースへ格納することもできる。なお、上
記データベースは、コンテンツ管理装置１１０が備えてもよく、コンテンツ管理装置１１
０に接続された外部の情報処理装置が備えてもよい。
【００１９】
端末装置１００は、コンテンツを扱う、ＰＤＡ（Personal Digital Assistant）、携帯
電話、パーソナル・コンピューターなどの情報処理装置である。たとえば、端末装置１０
０は、コンテンツ管理装置１１０からコンテンツおよび付属情報を取得し、取得したコン
テンツおよび付属情報を格納する。端末装置１００は、コンテンツ管理装置１１０から取
得したコンテンツおよび付属情報を、再生、表示、および編集することができる。端末装
置１００の一例として、ＰＤＦデータをコンテンツとして扱う、電子ブックなどが挙げら
れる。
【００２０】
図２は、コンテンツ提供システム１０の機能構成の一例を示す。端末装置１００は、格
納部２００、取得部２０２、コンテンツリスト取得部２０６、コンテンツリスト更新部２
０８、コンテンツ選択部２１０、判断部２１２、および第１転送制御部２１４を備える。
【００２１】
格納部２００は、複数のコンテンツを格納する。また、格納部２００は、複数のコンテ
ンツのそれぞれについて、コンテンツに対応付けて当該コンテンツの付属情報を格納する
。また、格納部２００は、当該格納部２００に格納されている複数のコンテンツが示され
たコンテンツリスト（以下、「端末装置１００のコンテンツリスト」と示す。）を格納す
る。また、格納部２００は、コンテンツ管理装置１１０の格納部２５０に格納されている
複数のコンテンツが示されたコンテンツリスト（以下、「コンテンツ管理装置１１０のコ
ンテンツリスト」と示す。）を格納する。
【００２２】
取得部２０２は、コンテンツを取得する。たとえば、取得部２０２は、コンテンツ管理
装置１１０から送信されたコンテンツを取得する。取得部２０２は、取得したコンテンツ
を格納部２００に格納する。また、取得部２０２は、付属情報を取得する。たとえば、取
得部２０２は、コンテンツ管理装置１１０から送信された付属情報を取得する。取得部２
０２は、取得した付属情報を格納部２００に格納する。
【００２３】
コンテンツリスト取得部２０６は、コンテンツリストを取得する。たとえば、コンテン
ツリスト取得部２０６は、コンテンツ管理装置１１０から送信されたコンテンツ管理装置
１１０のコンテンツリストを取得する。コンテンツリスト取得部２０６は、取得したコン
テンツ管理装置１１０のコンテンツリストを格納部２００に格納する。
【００２４】
コンテンツリスト更新部２０８は、格納部２００を参照し、端末装置１００のコンテン
ツリストを作成する。コンテンツリスト更新部２０８は、作成した端末装置１００のコン
テンツリストを格納部２００に格納する。また、コンテンツリスト更新部２０８は、定期
的にまたは任意のタイミングで、格納部２００を参照し、格納部２００に格納されている
端末装置１００のコンテンツリストを最新の状態に更新する。また、コンテンツリスト更
新部２０８は、定期的にまたは任意のタイミングで、最新の状態のコンテンツ管理装置１
１０のコンテンツリストをコンテンツリスト取得部２０６に取得させ、格納部２００に格
納されているコンテンツ管理装置１１０のコンテンツリストを最新の状態に更新する。
【００２５】
コンテンツ選択部２１０は、コンテンツ管理装置１１０に格納されている複数のコンテ
ンツの中からコンテンツを選択する。たとえば、コンテンツ選択部２１０は、格納部２０
０に格納されているコンテンツ管理装置１１０のコンテンツリストを表示デバイスに表示
し、入力デバイスによる任意のコンテンツの選択操作を受け付けることによって、コンテ
ンツ管理装置１１０に格納されている複数のコンテンツの中からコンテンツを選択する。
【００２６】
判断部２１２は、コンテンツ選択部２１０によって選択されたコンテンツが端末装置１
００に格納されているか否かを判断する。たとえば、判断部２１２は、コンテンツ選択部
２１０によって選択されたコンテンツが端末装置１００のコンテンツリストに示されてい
るか否かによって、当該コンテンツが端末装置１００に格納されているか否かを判断する
。なお、判断部２１２は、コンテンツリストを参照せずに、格納部２００のファイルリス
トおよび格納部２５０のファイルリストを取得し、取得したファイルリストを参照するこ
とにより、当該コンテンツが端末装置１００に格納されているか否かを判断してもよい。
【００２７】
第１転送制御部２１４は、コンテンツ管理装置１１０から端末装置１００へのコンテン
ツの転送を制御する。具体的には、コンテンツ選択部２１０によって選択されたコンテン
ツが端末装置１００に格納されていないと判断部２１２が判断した場合には、第１転送制
御部２１４は、コンテンツ管理装置１１０に当該コンテンツおよび当該コンテンツの付属
情報を端末装置１００へ送信させる。
【００２８】
第１転送制御部２１４は、たとえば、当該コンテンツの識別情報が示された、当該コン
テンツおよび当該コンテンツの付属情報の要求情報をコンテンツ管理装置１１０へ送信す
ることにより、当該コンテンツおよび当該コンテンツの付属情報をコンテンツ管理装置１
１０に端末装置１００へ送信させる。このようにして、当該コンテンツおよび当該コンテ
ンツの付属情報がコンテンツ管理装置１１０から端末装置１００へ転送される。
【００２９】
一方、コンテンツ選択部２１０によって選択されたコンテンツが端末装置１００に格納
されていると判断部２１２が判断した場合には、第１転送制御部２１４は、コンテンツ管
理装置１１０に当該コンテンツの付属情報を端末装置１００へ送信させるが、当該コンテ
ンツは送信させない。
【００３０】
たとえば、第１転送制御部２１４は、コンテンツ選択部２１０によって選択されたコン
テンツの付属情報の識別情報が示された、当該コンテンツの付属情報の要求情報をコンテ
ンツ管理装置１１０へ送信することにより、当該コンテンツの付属情報をコンテンツ管理
装置１１０に端末装置１００へ送信させる。このようにして、当該コンテンツと当該コン
テンツの付属情報のうち付属情報のみがコンテンツ管理装置１１０から端末装置１００へ
転送される。
【００３１】
本実施形態の端末装置１００は、第１付属情報更新部２１６および付属情報送信部２１
８をさらに備える。第１付属情報更新部２１６は、格納部２００に格納されている付属情
報を更新することによって、更新された付属情報を作成する。たとえば、第１付属情報更
新部２１６は、格納部２００に格納されているコンテンツ管理装置１１０のコンテンツリ
ストを表示デバイスに表示し、入力デバイスによる任意のコンテンツの選択操作を受け付
ける。そして、第１付属情報更新部２１６は、選択されたコンテンツの付属情報を格納部
２００から抽出し、抽出した付属情報を表示デバイスに表示する。さらに、第１付属情報
更新部２１６は、入力デバイスによる付属情報の編集操作を受け付ける。これにより、第
１付属情報更新部２１６は、付属情報を更新する。
【００３２】
付属情報送信部２１８は、付属情報をコンテンツ管理装置１１０へ送信する。たとえば
、付属情報送信部２１８は、格納部２００に格納されている複数の付属情報のうち、第１
付属情報更新部２１６によって更新された付属情報を送信する。ただし、付属情報送信部
２１８は、当該付属情報に対応するコンテンツはコンテンツ管理装置１１０へ送信しない
。付属情報送信部２１８は、第１付属情報更新部２１６が付属情報を更新するごとに、更
新された付属情報を送信してもよく、定期的にまたは任意のタイミングで、更新された付
属情報をまとめて送信してもよい。
【００３３】
コンテンツ管理装置１１０は、格納部２５０、転送部２５２、コンテンツリスト送信部
２５６、コンテンツリスト更新部２５８、第２転送制御部２６０、付属情報取得部２６２
、および第２付属情報更新部２６４を備える。
【００３４】
格納部２５０は、複数のコンテンツを格納する。また、格納部２５０は、複数のコンテ
ンツのそれぞれについて、コンテンツに対応付けて当該コンテンツの付属情報を格納する
。また、格納部２５０は、コンテンツ管理装置１１０のコンテンツリストを格納する。
【００３５】
転送部２５２は、コンテンツを端末装置１００へ転送する。たとえば、転送部２５２は
、コンテンツを格納部２５０から抽出し、抽出したコンテンツを端末装置１００へ転送す
る。また、転送部２５２は、付属情報を端末装置１００へ転送する。たとえば、転送部２
５２は、付属情報を格納部２５０から抽出し、抽出した付属情報を端末装置１００へ転送
する。
【００３６】
コンテンツリスト送信部２５６は、コンテンツ管理装置１１０のコンテンツリストを送
信する。たとえば、コンテンツリスト送信部２５６は、コンテンツ管理装置１１０のコン
テンツリストを格納部２５０から抽出し、抽出したコンテンツ管理装置１１０のコンテン
ツリストを端末装置１００へ送信する。
【００３７】
第２転送制御部２６０は、コンテンツ管理装置１１０から端末装置１００へのコンテン
ツおよび付属情報の転送を制御する。たとえば、第２転送制御部２６０がコンテンツの要
求情報を端末装置１００から受信した場合、第２転送制御部２６０は転送部２５２に対し
て、受信した要求情報に示されているコンテンツＩＤによって特定されるコンテンツを端
末装置１００へ転送させるための指示を出す。この指示を受けて、転送部２５２は当該コ
ンテンツを端末装置１００へ転送する。また、第２転送制御部２６０がコンテンツの付属
情報の要求情報を受信した場合、第２転送制御部２６０は転送部２５２に対して、受信し
た要求情報に示されているコンテンツＩＤによって特定されるコンテンツの付属情報を端
末装置１００へ転送させるための指示を出す。この指示を受けて、転送部２５２は当該コ
ンテンツの付属情報を端末装置１００へ転送する。このようにして、コンテンツ管理装置
１１０から端末装置１００へコンテンツあるいは付属情報が転送される。
【００３８】
付属情報取得部２６２は、付属情報を取得する。たとえば、付属情報取得部２６２は、
端末装置１００から送信された付属情報を取得する。付属情報取得部２６２は、取得した
付属情報を格納部２５０に格納する。
【００３９】
第２付属情報更新部２６４は、格納部２５０に格納されている付属情報を更新する。た
とえば、第２付属情報更新部２６４は、付属情報取得部２６２が取得した付属情報で、格
納部２５０に格納されている付属情報を更新する。
【００４０】
図３は、コンテンツ提供システム１０の処理手順の一例を示す。図３では、端末装置１
００のユーザーが利用したいコンテンツを選択した場合の、コンテンツ提供システム１０
の処理手順の一例を示す。
【００４１】
まず、端末装置１００のコンテンツ選択部２１０が、コンテンツ管理装置１１０に格納
されている複数のコンテンツの中からコンテンツを選択する（ステップＳ３０２）。つぎ
に、端末装置１００の判断部２１２が、ステップＳ３０２で選択されたコンテンツが端末
装置１００に格納されているか否かを判断する（ステップＳ３０４）。
【００４２】
ステップＳ３０４において、ステップＳ３０２で選択されたコンテンツが端末装置１０
０に格納されていないと判断した場合（ステップＳ３０４：Ｎｏ）、端末装置１００の第
１転送制御部２１４が、ステップＳ３０２で選択されたコンテンツの要求情報、およびス
テップＳ３０２で選択されたコンテンツの付属情報の要求情報を、コンテンツ管理装置１
１０へ送信する（ステップＳ３０６）。
【００４３】
そして、コンテンツ管理装置１１０の第２転送制御部２６０の制御により、コンテンツ
管理装置１１０の転送部２５２が、端末装置１００から受信した要求情報に示されている
コンテンツＩＤによって特定されるコンテンツおよび当該コンテンツの付属情報を、端末
装置１００に転送する（ステップＳ３０８）。
【００４４】
さらに、端末装置１００の取得部２０２が、ステップＳ３０８で転送されたコンテンツ
および付属情報を取得する（ステップＳ３１０）。そのうえ、端末装置１００の取得部２
０２が、ステップＳ３１０で取得したコンテンツおよび付属情報を格納部２００に格納す
る（ステップＳ３１２）。
【００４５】
一方、ステップＳ３０４において、ステップＳ３０２で選択されたコンテンツが端末装
置１００に格納されていると判断した場合（ステップＳ３０４：Ｙｅｓ）、端末装置１０
０の第１転送制御部２１４が、ステップＳ３０２で選択されたコンテンツの付属情報の要
求情報を、コンテンツ管理装置１１０へ送信する（ステップＳ３１４）。
【００４６】
そして、コンテンツ管理装置１１０の第２転送制御部２６０の制御により、コンテンツ
管理装置１１０の転送部２５２が、端末装置１００から受信した要求情報に示されている
コンテンツＩＤによって特定されるコンテンツの付属情報を、端末装置１００に転送する
（ステップＳ３１６）。
【００４７】
さらに、端末装置１００の取得部２０２が、ステップＳ３１６で転送された付属情報を
取得する（ステップＳ３１８）。そのうえ、端末装置１００の取得部２０２が、ステップ
Ｓ３１０で取得した付属情報を格納部２００に格納する（ステップＳ３２０）。
【００４８】
なお、コンテンツ提供システム１０は、選択されたコンテンツのファイル名、ファイル
の種類、格納ディレクトリ、作成日などのパラメータのうちいずれか、あるいはすべてが
所定の条件に合致する場合に、図３に示す処理をおこなってもよく、所定の条件に合致し
ない場合には、図３に示す処理をおこなわなくてもよい。また、コンテンツ提供システム
１０は、定期的に、図３に示す処理をおこなってもよい。
【００４９】
また、コンテンツ提供システム１０は、所定のイベントが発生したタイミングで、図３
に示す処理をおこなってもよい。たとえば、コンテンツ提供システム１０は、コンテンツ
提供システム１０に対してコンテンツまたは付属情報が追加、変更、または削除されたタ
イミングで、図３に示す処理をおこなってもよい。この場合、コンテンツ提供システム１
０は、ファイル名、ファイルの種類、格納ディレクトリ、作成日などのパラメータのうち
いずれか、あるいはすべてが所定の条件に合致するコンテンツまたは付属情報が追加、変
更、または削除されたタイミングで、図３に示す処理をおこなってもよく、所定の条件に
合致しないコンテンツまたは付属情報が追加、変更、または削除されたタイミングでは、
図３に示す処理をおこなわなくてもよい。また、コンテンツ提供システム１０は、端末装
置１００が通信ネットワーク１２０に接続されたタイミング、コンテンツ管理装置１１０
が端末装置１００を検出したタイミングで、図３に示す処理をおこなってもよい。
【００５０】
図４は、コンテンツ提供システム１０の処理手順の他の一例を示す。図４では、端末装
置１００のユーザーが付属情報を更新した場合の、コンテンツ提供システム１０の処理手
順の一例を示す。
【００５１】
まず、端末装置１００の第１付属情報更新部２１６が、格納部２００に格納されている
付属情報を更新する（ステップＳ４０２）。つぎに、端末装置１００の付属情報送信部２
１８が、ステップＳ４０２で更新された付属情報をコンテンツ管理装置１１０へ送信する
（ステップＳ４０４）。この時、付属情報送信部２１８は、当該付属情報に対応するコン
テンツはコンテンツ管理装置１１０へ送信しない。
【００５２】
そして、コンテンツ管理装置１１０の付属情報取得部２６２が、ステップＳ４０４で送
信された付属情報を取得する（ステップＳ４０６）。さらに、コンテンツ管理装置１１０
の第２付属情報更新部２６４が、ステップＳ４０６で取得した付属情報で、格納部２５０
に格納されている付属情報を更新する（ステップＳ４０８）。
【００５３】
図５は、コンテンツ提供システム１０に格納されている情報の一例を示す。図５におい
て、端末装置１００の格納部２００およびコンテンツ管理装置１１０の格納部２５０には
、複数のコンテンツＩＤのそれぞれに対して、コンテンツおよび当該コンテンツの付属情
報が１つずつ対応付けられて格納されている。
【００５４】
たとえば、格納部２５０には、コンテンツＩＤ「０００１」に対して、コンテンツ「０
００１．ｐｄｆ」と、当該コンテンツの付属情報「０００１．ｘｍｌ」とが対応付けられ
て格納されている。また、コンテンツＩＤ「０００２」に対して、コンテンツ「０００２
．ｐｄｆ」と、当該コンテンツの付属情報「０００２．ｘｍｌ」とが対応付けられて格納
されている。また、コンテンツＩＤ「０００３」に対して、コンテンツ「０００３．ｐｄ
ｆ」と、当該コンテンツの付属情報「０００３．ｘｍｌ」とが対応付けられて格納されて
いる。
【００５５】
一方、格納部２００には、コンテンツＩＤ「０００１」に対して、コンテンツ「０００
１．ｐｄｆ」と、当該コンテンツの付属情報「０００１．ｘｍｌ」とが対応付けられて格
納されている。また、コンテンツＩＤ「０００３」に対して、コンテンツ「０００３．ｐ
ｄｆ」が対応付けられている。
【００５６】
図５に示すとおり、格納部２５０には、コンテンツ「０００２．ｐｄｆ」および付属情
報「０００２．ｘｍｌ」が格納されている。しかしながら、格納部２００には、コンテン
ツ「０００２．ｐｄｆ」および付属情報「０００２．ｘｍｌ」が格納されていない。また
、格納部２５０には、付属情報「０００３．ｘｍｌ」が格納されている。しかしながら、
格納部２００には、付属情報「０００３．ｘｍｌ」が格納されていない。
【００５７】
たとえば、端末装置１００において、コンテンツ「０００２．ｐｄｆ」が選択された場
合、端末装置１００は、コンテンツ「０００２．ｐｄｆ」および付属情報「０００２．ｘ
ｍｌ」を、コンテンツ管理装置１１０に要求する。これにより、コンテンツ「０００２．
ｐｄｆ」および付属情報「０００２．ｘｍｌ」が、コンテンツ管理装置１１０から端末装
置１００へ転送される。そして、端末装置１００は、コンテンツ管理装置１１０から取得
したコンテンツ「０００２．ｐｄｆ」および付属情報「０００２．ｘｍｌ」を格納部２０
０へ格納する。
【００５８】
また、端末装置１００において、コンテンツ「０００３．ｐｄｆ」が選択された場合、
端末装置１００は、コンテンツ「０００３．ｐｄｆ」はコンテンツ管理装置１１０に要求
せずに、付属情報「０００３．ｘｍｌ」をコンテンツ管理装置１１０に要求する。これに
より、付属情報「０００３．ｘｍｌ」はコンテンツ管理装置１１０から端末装置１００へ
転送されるが、コンテンツ「０００３．ｐｄｆ」は転送されない。そして、端末装置１０
０は、コンテンツ管理装置１１０から取得した付属情報「０００３．ｘｍｌ」をコンテン
ツ「０００３．ｐｄｆ」に対応付けて格納部２００へ格納する。
【００５９】
また、端末装置１００においていずれかの付属情報が更新された場合、端末装置１００
は、更新された付属情報に対応付けられているコンテンツをコンテンツ管理装置１１０に
要求せずに、更新された付属情報をコンテンツ管理装置１１０へ送信する。これにより、
コンテンツ管理装置１１０は、格納部２５０に格納されている付属情報のうち、端末装置
１００において更新された付属情報と同一のコンテンツＩＤを有する付属情報を、端末装
置１００において更新された付属情報で更新する。
【００６０】
このように、本実施形態のコンテンツ提供システム１０によれば、端末装置１００がコ
ンテンツを格納している場合、当該コンテンツの付属情報はコンテンツ管理装置１１０か
ら端末装置１００へ転送されるが、当該コンテンツは転送されない。これにより、コンテ
ンツ管理装置１１０と端末装置１００との間で転送されるデータのデータ量を削減するこ
とができる。この結果、通信ネットワーク１２０にかかる負荷をかけることなくデータ通
信をおこなうことができる。
【００６１】
また、本実施形態のコンテンツ提供システム１０によれば、端末装置１００が付属情報
を更新した場合、更新された付属情報は端末装置１００からコンテンツ管理装置１１０へ
転送されるが、更新された付属情報に対応付けられているコンテンツは転送されない。こ
れにより、端末装置１００が付属情報を更新した場合も、コンテンツ管理装置１１０と端
末装置１００との間で転送されるデータのデータ量を削減することができる。この結果、
通信ネットワーク１２０にかかる負荷をかけることなくデータ通信をおこなうことができ
る。
【００６２】
図６は、端末装置１００およびコンテンツ管理装置１１０のハードウェア構成の一例を
示す。端末装置１００およびコンテンツ管理装置１１０は、それぞれ、ＣＰＵ１５０５、
ＲＯＭ１５１０、ＲＡＭ１５２０、ＨＤ（ハードディスク）ドライブ１５２５、通信イン
ターフェース１５３０、外部メモリードライブ１５４０、外部メモリー１５４２、入力デ
バイス１５５０、および表示デバイス１５６０を備える。
【００６３】
ＲＯＭ１５１０、ＲＡＭ１５２０、およびＨＤドライブ１５２５は、各種データおよび
各種プログラムを格納する。端末装置１００が備える、ＲＯＭ１５１０、ＲＡＭ１５２０
、およびＨＤドライブ１５２５の少なくともいずれか一つは、図１から図５に関連して説
明した格納部２００として機能する。また、コンテンツ管理装置１１０が備える、ＲＯＭ
１５１０、ＲＡＭ１５２０、およびＨＤドライブ１５２５の少なくともいずれか一つは、
図１から図５に関連して説明した格納部２５０として機能する。
【００６４】
ＣＰＵ１５０５は、ＲＯＭ１５１０、ＲＡＭ１５２０、またはＨＤドライブ１５２５に
格納されたプログラムを実行することで、各種データ処理および各種ハードウェア制御を
おこなう。端末装置１００において、ＣＰＵ１５０５により実行されるプログラムは、コ
ンピューターを、図１から図５に関連して説明した、取得部２０２、コンテンツリスト取
得部２０６、コンテンツリスト更新部２０８、コンテンツ選択部２１０、判断部２１２、
第１転送制御部２１４、第１付属情報更新部２１６、および付属情報送信部２１８として
機能させる。また、コンテンツ管理装置１１０において、ＣＰＵ１５０５により実行され
るプログラムは、コンピューターを、図１から図５に関連して説明した、転送部２５２、
コンテンツリスト送信部２５６、コンテンツリスト更新部２５８、第２転送制御部２６０
、付属情報取得部２６２、および第２付属情報更新部２６４として機能させる。
【００６５】
通信インターフェース１５３０は、通信ネットワークに接続し、通信ネットワークを介
して外部装置に対するデータの送受信をおこなう。外部メモリードライブ１５４０は、外
部メモリー１５４２に接続し、外部メモリー１５４２に対するデータの送受信をおこなう
。外部メモリー１５４２としては、たとえば、メモリーカードが挙げられる。外部メモリ
ー１５４２は、フレキシブルディスク、ＣＤ、ＤＶＤ等の記録媒体であってもよい。端末
装置１００が備える外部メモリー１５４２は、図１から図５に関連して説明した格納部２
００として機能してもよい。また、コンテンツ管理装置１１０が備える外部メモリー１５
４２は、図１から図５に関連して説明した格納部２５０として機能してもよい。
【００６６】
表示デバイス１５６０は、各種データを表示する。たとえば、表示デバイス１５６０は
、コンテンツ、付属情報、コンテンツリスト、これらデータの管理画面などを表示する。
表示デバイス１５６０としては、たとえば、ＣＲＴディスプレイ、液晶ディスプレイ、プ
ラズマディスプレイ、有機ＥＬディスプレイ、電子ペーパーなどが挙げられる。端末装置
１００が備える入力デバイス１５５０は、端末装置１００に対する操作を入力する。また
、コンテンツ管理装置１１０が備える入力デバイス１５５０は、コンテンツ管理装置１１
０に対する操作を入力する。たとえば、入力デバイス１５５０は、コンテンツの選択操作
、付属情報の編集操作、コンテンツの管理操作などを入力する。入力デバイス１５５０と
しては、たとえば、マウス、キーボード、入力ボタン、タッチパネルなどが挙げられる。
【００６７】
ＣＰＵ１５０５が実行するプログラムは、たとえば、コンピューター読み取り可能な記
録媒体に格納され、コンピューター読み取り可能な記録媒体によって端末装置１００およ
びコンテンツ管理装置１１０に提供され、端末装置１００およびコンテンツ管理装置１１
０にインストールされてもよい。これに限らず、ＣＰＵ１５０５が実行するプログラムは
、外部装置から通信ネットワークを介して、端末装置１００およびコンテンツ管理装置１
１０に提供され、端末装置１００およびコンテンツ管理装置１１０にインストールされて
もよい。
＜実施例２＞
【００６８】
実施例１では、端末装置１００に設けられた判断部２１２が、ステップＳ３０２で選択
されたコンテンツが端末装置１００に格納されているか否かを判断する例を示したが、実
施例２では、コンテンツ管理装置が、所定のコンテンツが端末装置に格納されているか否
かを判断する例を示す。以下、図７および図８を用いて、実施例１と異なる点を中心に説
明する。
【００６９】
図７は、実施例２におけるコンテンツ提供システム２０の機能構成の一例を示す。コン
テンツ提供システム２０は、端末装置１０１およびコンテンツ管理装置１１１を備える。
端末装置１０１は、格納部２００、取得部２０２、コンテンツリスト更新部２０８、第１
付属情報更新部２１６、付属情報送信部２１８、およびコンテンツリスト送信部２５７を
備える。また、コンテンツ管理装置１１１は、格納部２５０、転送部２５２、付属情報取
得部２６２、第２付属情報更新部２６４、転送制御部２６１、コンテンツリスト取得部２
０７、判断部２１３、コンテンツリスト更新部２５９、およびタイマー２７０を備える。
【００７０】
まず、端末装置１０１について説明する。格納部２００、コンテンツリスト更新部２０
８、取得部２０２、第１付属情報更新部２１６、および付属情報送信部２１８はそれぞれ
、第１実施例における端末装置１００が備える格納部２００、コンテンツリスト更新部２
０８、取得部２０２、第１付属情報更新部２１６、および付属情報送信部２１８と同じ機
能を有している。コンテンツリスト送信部２５７は、コンテンツリスト更新部２０８によ
って作成されたコンテンツリストをコンテンツ管理装置１１１へ送信する。たとえば、コ
ンテンツリスト送信部２５７は、端末装置１０１のコンテンツリストを格納部２００から
抽出し、抽出した端末装置１０１のコンテンツリストをコンテンツ管理装置１１１へ送信
する。
【００７１】
次に、コンテンツ管理装置１１１について説明する。格納部２５０、付属情報取得部２
６２、第２付属情報更新部２６４、および転送部２５２はそれぞれ、第１実施例における
コンテンツ管理装置１１０が備える格納部２５０、付属情報取得部２６２、第２付属情報
更新部２６４、および転送部２５２と同じ機能を有している。
【００７２】
コンテンツリスト取得部２０７は、コンテンツリストを取得する。たとえば、コンテン
ツリスト取得部２０７は、端末装置１０１から送信された端末装置１０１のコンテンツリ
ストを取得する。コンテンツリスト取得部２０７は、取得した端末装置１０１のコンテン
ツリストを格納部２５０に格納する。
【００７３】
コンテンツリスト更新部２５９は、格納部２５０を参照し、コンテンツ管理装置１１１
のコンテンツリストを作成する。コンテンツリスト更新部２５９は、作成したコンテンツ
管理装置１１１のコンテンツリストを格納部２５０に格納する。また、コンテンツリスト
更新部２５９は、定期的にまたは任意のタイミングで、格納部２５０を参照し、格納部２
５０に格納されているコンテンツ管理装置１１１のコンテンツリストを最新の状態に更新
する。また、コンテンツリスト更新部２５９は、定期的にまたは任意のタイミングで、最
新の状態の端末装置１０１のコンテンツリストをコンテンツリスト取得部２０７に取得さ
せ、格納部２５０に格納されている端末装置１０１のコンテンツリストを最新の状態に更
新する。
【００７４】
判断部２１３は、ファイル名、ファイルの種類、格納ディレクトリ、作成日などのパラ
メータのうち少なくとも一つのパラメータについて、パラメータ値をあらかじめ設定して
おく。たとえば、ファイルの種類を表すパラメータ値としてＰＤＦファイルを設定し、格
納ディレクトリを表すパラメータ値として、ディレクトリＡおよびディレクトリＢを設定
する。これらのパラメータ値は、コンテンツ提供システム２０の管理者によってあらかじ
め設定された値でもよいし、端末装置１０１のユーザーによって設定された値でもよい。
【００７５】
コンテンツ管理装置１１１はタイマー２７０を備えている。判断部２１３は、タイマー
２７０からの指示により、あらかじめ設定されたパラメータ値と一致するパラメータ値を
有するコンテンツが端末装置１０１に格納されているか否かを判断する。この例では、判
断部２１３は、ディレクトリＡあるいはディレクトリＢに格納されているＰＤＦファイル
（コンテンツ）の各々について以下の判断を行なう。すなわち、あらかじめ設定されたパ
ラメータ値と一致するパラメータ値を有するコンテンツが端末装置１０１のコンテンツリ
ストに示されているか否かによって、当該コンテンツが端末装置１０１に格納されている
か否かを判断する。なお、判断部２１３は、コンテンツリストを参照せずに、格納部２０
０のファイルリストおよび格納部２５０のファイルリストを取得し、取得したファイルリ
ストを参照することにより、当該コンテンツが端末装置１０１に格納されているか否かを
判断してもよい。
【００７６】
転送制御部２６１は、コンテンツ管理装置１１１から端末装置１０１へのコンテンツの
転送を制御する。具体的には、あらかじめ設定されたパラメータ値と一致するパラメータ
値を有するコンテンツが端末装置１０１に格納されていないと判断部２１３が判断した場
合には、転送制御部２６１は転送部２５２に対して、当該コンテンツを端末装置１０１へ
送信させるための指示を出す。転送部２５２は転送制御部２６１からの指示を受けて、当
該コンテンツを端末装置１０１へ転送する。コンテンツ管理装置１１１に備えられている
格納部２５０に当該コンテンツの付属情報が格納されている場合は、転送制御部２６１は
転送部２５２に対して、当該コンテンツの付属情報も端末装置１０１へ送信させるための
指示を出す。転送部２５２は転送制御部２６１からの指示を受けて、コンテンツ管理装置
１１１に備えられている格納部２５０に格納されている当該付属情報も端末装置１０１へ
転送する。
【００７７】
一方、あらかじめ設定されたパラメータ値と一致するパラメータ値を有するコンテンツ
が端末装置１０１に格納されていると判断部２１３が判断した場合には、転送制御部２６
１は転送部２５２に対して、当該コンテンツの付属情報を端末装置１０１へ送信させるた
めの指示を出す。転送部２５２は転送制御部２６１からの指示を受けて、コンテンツ管理
装置１１１に備えられている格納部２５０に格納されている当該付属情報を端末装置１０
１へ転送する。この際、当該コンテンツはコンテンツ管理装置１１１から端末装置１０１
へ転送されない。
【００７８】
図８は、コンテンツ提供システム２０の処理手順の一例を示す。ここでは、ファイル名
、ファイルの種類、格納ディレクトリ、作成日などのパラメータのうち少なくとも一つの
パラメータについて、パラメータ値があらかじめ設定されているものとする。
【００７９】
まず、コンテンツ管理装置１１１において、タイマー２７０が、所定時間が経過したこ
とを判断部２１３に通知し（ステップＳ８０２）、これを受けて、判断部２１３が、あら
かじめ設定されたパラメータ値と一致するパラメータ値を有するコンテンツが端末装置１
０１に格納されているか否かを判断する（ステップＳ８０４）。ステップＳ８０４におい
て、あらかじめ設定されたパラメータ値と一致するパラメータ値を有するコンテンツが端
末装置１０１に格納されていないと判断部２１３が判断した場合（ステップＳ８０４：Ｎ
ｏ）、転送部２５２が、転送制御部２６１からの指示を受けて、当該コンテンツを端末装
置１０１へ転送する（ステップＳ８０６）。このとき、当該コンテンツの付属情報も端末
装置１０１へ送信するという指示を転送部２５２が受けた場合には、転送部２５２は当該
付属情報も端末装置１０１へ転送する。コンテンツ管理装置１１１から転送されたコンテ
ンツや該コンテンツの付属情報は、端末装置１０１において、取得部２０２によって取得
され（ステップＳ８０８）、さらに格納部２００に格納される（ステップＳ８１０）。
【００８０】
一方、ステップＳ８０４において、あらかじめ設定されたパラメータ値と一致するパラ
メータ値を有するコンテンツが端末装置１０１に格納されていると判断部２１２が判断し
た場合（ステップＳ８０４：Ｙｅｓ）、転送部２５２が、転送制御部２６１からの指示を
受けて、当該コンテンツの付属情報を端末装置１０１へ転送する（ステップＳ８１２）。
このとき、転送部２５２は当該コンテンツを端末装置１０１へ転送しない。コンテンツ管
理装置１１１から転送されたコンテンツ当該付属情報は、端末装置１０１において、取得
部２０２によって取得され（ステップＳ８１４）、さらに格納部２００に格納される（ス
テップＳ８１６）。
【００８１】
本実施形態の端末装置１０１は、第１付属情報更新部２１６および付属情報送信部２１
８を備えており、第１付属情報更新部２１６は、格納部２００に格納されている付属情報
を更新することができる。付属情報が端末装置１０１において更新された場合の、コンテ
ンツ管理装置１１１における付属情報の更新方法は第１実施例の場合と同じであるため、
説明は省略する。
【００８２】
本実施形態のコンテンツ提供システム２０によれば、実施例１と同じ効果が得られる。
それに加えて、コンテンツ提供システム２０では判断部が端末装置１０１ではなくコンテ
ンツ管理装置１１１に備えられているため、端末装置１０１の負荷を小さくすることがで
きる。なお、本実施例ではコンテンツ管理装置１１１に備えられたタイマー２７０からの
指示に基づいて、コンテンツ管理装置１１１と端末装置１０１との間で同期を取るように
したが、実施例１と同様に端末装置１０１にコンテンツ選択部を設けて、端末装置１０１
のユーザーが選択したコンテンツについて同期を取るようにしてもよい。
【符号の説明】
【００８３】
１０  コンテンツ提供システム、１００，１０１  端末装置、１１０，１１１  コンテ
ンツ管理装置、１２０  通信ネットワーク、２００  格納部、２０２  取得部、２０６，
２０７  コンテンツリスト取得部、２０８  コンテンツリスト更新部、２１０  コンテン
ツ選択部、２１２，２１３  判断部、２１４  第１転送制御部、２１６  第１付属情報更
新部、２１８  付属情報送信部、２５０  格納部、２５２  転送部、２５６，２５７  コ
ンテンツリスト送信部、２５８，２５９  コンテンツリスト更新部、２６０  第２転送制
御部、２６１  転送制御部、２６２  付属情報取得部、２６４  第２付属情報更新部、２
７０  タイマー
【図１】
2011100440.tif 000003
【図２】
2011100440.tif 000004
【図３】
2011100440.tif 000005
【図４】
2011100440.tif 000006
【図５】
2011100440.tif 000007
【図６】
2011100440.tif 000008
【図７】
2011100440.tif 000009
【図８】
2011100440.tif 000010